(57)【要約】【課題】ユーザが分かりやすく、かつ記録媒体の構成を複雑にすることなく、書込の禁止又は解除の設定を行えるようにする。【解決手段】まず、ＣＰＵ１１２は、メモリカード４０が第２位置Ｐ２に挿入されたことを検知する（Ｓ１１）。具体的には、データ用端子４３と第１端子２２ａとが接触し、かつ書込検出用端子４４と第２端子２２ｂとが接触すると、第１端子２２ａと第２端子２２ｂとが導通し、第１端子２２ａの電位は、グランドと同じローレベル（Ｌレベル）となる。ＣＰＵ１１２は、第１端子２２ａの電位がＬレベルであることを検知すると、メモリカード４０へのデータの書込禁止を解除する（Ｓ１２）。【選択図】  図５
2006236112.tif 000002
【特許請求の範囲】
【請求項１】
記録媒体と電気的に接続される接点を有するコネクタ装置と、
前記コネクタ装置に挿入される記録媒体の挿入位置を検知する検知部と、
前記記録媒体の挿入位置に応じて前記記録媒体へのデータ書込禁止を設定するか又は前記データ書込禁止の設定を解除する制御部と、
を備えた電子機器。
【請求項２】
前記コネクタ装置には、前記記録媒体を所定の挿入位置で保持可能な保持部材と、前記所定の挿入位置で保持された記録媒体と電気的に接続する接点とが設けられており、
前記検知部は前記所定の挿入位置で保持された記録媒体と電気的に接続した接点に導通する電位によって前記記録媒体が前記所定の挿入位置に挿入されたことを検知する請求項１に記載の電子機器。
【請求項３】
前記制御部は前記記録媒体が前記所定の挿入位置に挿入されたことの検知に応じて前記記録媒体へのデータ書込禁止を設定する請求項２に記載の電子機器。
【請求項４】
前記制御部は前記記録媒体が前記所定の挿入位置に挿入されたことの検知に応じて前記データ書込禁止の設定を解除する請求項２に記載の電子機器。
【請求項５】
前記保持部材は前記所定の挿入位置よりも浅い挿入位置で前記記録媒体を保持可能であり、前記接点は前記記録媒体が前記所定の挿入位置よりも浅い挿入位置で保持されたとき前記記録媒体と電気的に非接続となるよう配置されている請求項２〜４のいずれかに記載の電子機器。
【請求項６】
記録媒体と電気的に接続する接点を有するコネクタ装置に挿入された記録媒体の挿入位置を検知するステップと、
前記記録媒体の挿入位置に応じて前記記録媒体へのデータ書込禁止を設定するか又は前記データ書込禁止の設定を解除するステップと、
を含む記録媒体のライトプロテクト方法。
【発明の詳細な説明】
【技術分野】
【０００１】
本発明は記録媒体のライトプロテクトに関する。
【背景技術】
【０００２】
従来、記録媒体にデータ消去のプロテクトを設定するための技術が様々開発されている。例えば特許文献１によると、ライトプロテクトタブ或いはセンサホールの位置とその状態から論理演算してディスクカートリッジの裏向装着の検出と、光学的特性の異なる再生専用型の情報記録媒体の検出と、情報記録媒体のライトプロテクト状態の検出とを一括して行う。
【０００３】
また、特許文献２によると、ライトプロテクト端子は、電子機器のコネクタに接続されると、電子機器の情報処理回路から、書き込み及び消去動作を強制的に禁止させるためのアクティブローの信号が入力される。即ち、情報処理回路からライトプロテクト端子に‘Ｌ’レベル信号が入力されると、書き込み及び消去動作が強制的に禁止され、これによって、フラッシュメモリに記録された保存情報が保護される。これとは逆に、情報処理回路からレベル信号がライトプロテクト端子に入力されると、書き込み及び消去動作の禁止が解除され、これによって、フラッシュメモリに記録された保存情報の消去、及び新たな情報の書き込みが可能になる。
【特許文献１】特開平６−１２４５６７号公報
【特許文献２】特開２００１−２２９１３号公報
【発明の開示】
【発明が解決しようとする課題】
【０００４】
特許文献１の技術では、ライトプロテクトタブ或いはセンサホールを記録媒体に設ける必要があり、記録媒体の製造工程が複雑となりコストアップのおそれがある。このような問題点に対処するため、記録媒体の所定位置にラベルを貼付することでライトプロテクトを設定することも考えられるが、プロテクト解除をするためにラベルを剥がすと、記録媒体に接着剤が残留し、データ読み取り装置に不具合をきたすおそれがあり好ましいとはいえない。
【０００５】
また、特許文献２の技術では、Ｌレベル信号、Ｈレベル信号をフラッシュメモリに入力することで書込及び消去動作の禁止又は解除を行うのであるが、ユーザからはどちらの信号が入力されているのかを目視や具体的動作で確認できず、書込の禁止又は解除の設定状態が分かりにくい。本発明はこのような問題点に鑑みてなされたもので、ユーザが分かりやすく、かつ記録媒体の構成を複雑にすることなく、書込の禁止又は解除の設定を行えるようにすることを目的とする。
【課題を解決するための手段】
【０００６】
上述の課題を解決するため、本発明に係る電子機器は、記録媒体と電気的に接続される接点を有するコネクタ装置と、コネクタ装置に挿入される記録媒体の挿入位置を検知する検知部と、記録媒体の挿入位置に応じて記録媒体へのデータ書込禁止を設定するか又はデータ書込禁止の設定を解除する制御部と、を備えた。
【０００７】
この発明によると、記録媒体の挿入位置に応じて記録媒体へのデータ書込禁止を設定するか又はデータ書込禁止の設定を解除する。このため、記録媒体の挿入位置を変えれば、データ書込禁止設定又はその解除を分かりやすく自由に行える。また、記録媒体にライトプロテクトタブなどの部品を設けたりラベルを貼付したりする必要もない。
【０００８】
コネクタ装置には、記録媒体を所定の挿入位置で保持可能な保持部材と、所定の挿入位置で保持された記録媒体と電気的に接続する接点とが設けられており、検知部は所定の挿入位置で保持された記録媒体と電気的に接続した接点に導通する電位によって記録媒体が所定の挿入位置に挿入されたことを検知することが好ましい。
【０００９】
制御部は記録媒体が所定の挿入位置に挿入されたことの検知に応じて記録媒体へのデータ書込禁止を設定するようにしてもよい。
【００１０】
制御部は記録媒体が所定の挿入位置に挿入されたことの検知に応じてデータ書込禁止の設定を解除するようにしてもよい。
【００１１】
保持部材は所定の挿入位置よりも浅い挿入位置で記録媒体を保持可能であり、接点は記録媒体が所定の挿入位置よりも浅い挿入位置で保持されたとき記録媒体と電気的に非接続となるよう配置されていることが好ましい。
【００１２】
記録媒体と電気的に接続する接点を有するコネクタ装置に挿入された記録媒体の挿入位置を検知するステップと、記録媒体の挿入位置に応じて記録媒体へのデータ書込禁止を設定するか又はデータ書込禁止の設定を解除するステップと、を含むライトプロテクト方法も本発明に含まれる。
【発明の効果】
【００１３】
この発明によると、記録媒体の挿入位置に応じて記録媒体へのデータ書込禁止を設定するか又はデータ書込禁止の設定を解除する。このため、記録媒体の挿入位置を変えれば、データ書込禁止設定又はその解除を分かりやすく自由に行える。また、記録媒体にライトプロテクトタブなどの部品を設けたりラベルを貼付したりする必要もない。
【発明を実施するための最良の形態】
【００１４】
以下、添付した図面を参照し本発明の好ましい実施の形態を説明する。
【００１５】
＜第１実施形態＞
図１は本発明に係る電子機器の一態様であるデジタルカメラ１０の機能ブロック図である。まず、同図のデジタルカメラ１０において、中央処理装置（ＣＰＵ）１１２は、レリーズスイッチ１９、モードダイヤル１５０等を含む操作部１１３の各種のボタンやキーからの入力に基づいてデジタルカメラ１０内の各回路を統括制御する。ＣＰＵ１１２の実行するプログラムはフラッシュＲＯＭ１１９に記憶される。
【００１６】
いま、モードダイヤル１５０によって静止画撮影モードが設定されると、ＣＰＵ１１２は、動画（スルー画）を表示部１１０に表示させ、撮影画角を確認可能にする。即ち、撮像レンズ１４を通過した光は、固体撮像素子１０２ａに入射する。固体撮像素子１０２ａの受光面には、フォトセンサが平面的に配列されており、該受光面上の有効画素領域に結像された被写体像は、各フォトセンサによって入射光量に応じた量の信号電荷に変換される。こうして蓄積された信号電荷は、図示せぬドライバ回路から与えられるパルス信号に基づいて信号電荷に応じた電圧信号（画像信号）として順次読み出され、それぞれ撮像回路１０２ｂに加えられる。
【００１７】
撮像回路１０２ｂは、ゲイン調整回路を含み、得られた画像データは、それぞれ画像処理回路１０８及びハイパスフィルタ（ＨＰＦ）１２５へ送られる。画像処理回路１０８は、Ａ／Ｄ変換部１０８ａ、ホワイトバランス補正回路１０８ｂ、ガンマ補正回路１０８ｃ、ＹＣ処理回路１０８ｄ、輝度・色差信号生成回路、シャープネス補正回路、コントラスト補正回路、撮影画像に対する輪郭補正を含む画像処理を行う輪郭処理部、画像のノイズ低減処理を行うノイズ低減処理部等を含む画像処理手段であり、ＣＰＵ１１２からのコマンドに従って画像信号を処理する。
【００１８】
画像処理回路１０８に入力された画像データは、輝度信号（Ｙ信号）及び色差信号（Ｃｒ、Ｃｌ信号）に変換されるとともに、ガンマ補正等の所定の処理が施された後、ＶＲＡＭ１３２に格納される。
【００１９】
一方、画像処理回路１０８のＡ／Ｄ変換部１０８ａでデジタル信号に変換された画像データは、ハイパスフィルタ（ＨＰＦ）１２５でＧ画素成分のみ抽出される。そして、積算処理部１２６で抽出されたＧ画素成分に積算処理が施されてＣＰＵ１１２に送られる。ＣＰＵ１１２は、積算処理部１２６から送られた１画面分の６４分割の画像データの内、十字キー８１で任意に設定された被写体中心付近の４エリアの平均値を算出し、これをオートフォーカス（ＡＦ）評価値とする。ＡＦ評価値は、所定周期の経過毎に算出され、算出の度にメモリ１２７に更新記憶される。ＣＰＵ１１２は、ＡＦ評価値に従って被写体の合焦を判定する。その判断方法は任意であるが、例えばＡＦ評価値が極大点の近傍に略到達しているか否かを判断し、極大点に略達している場合は合焦していると判断し、その他の場合は合焦していないと判断する。あるいは、ＡＦ評価値が所定の閾値を超えていれば合焦していると判断することもできる。
【００２０】
撮影画像を表示部１１０にモニタ出力する場合、ＶＲＡＭ１３２からＹＣ信号が読み出され、ビデオエンコーダ１３４に送られる。ビデオエンコーダ１３４は、入力されたＹＣ信号を表示用の所定方式の信号（例えば、ＮＴＳＣ方式のカラー複合映像信号）に変換して表示部１１０に出力する。表示部１１０の駆動はドライバ１１１を介して行われる。
【００２１】
所定のフレームレートで処理された各フレームのＹＣ信号は、ＶＲＡＭ１３２のＡ領域とＢ領域とに交互に書き込まれ、ＶＲＡＭ１３２のＡ領域及びＢ領域のうち、ＹＣ信号が書き込まれている方の領域以外の領域から、書き込まれているＹＣ信号が読み出される。このようにしてＶＲＡＭ１３２内のＹＣ信号が定期的に書き換えられ、そのＹＣ信号から生成される映像信号が表示部１１０に供給されることにより、撮像中の映像がリアルタイムに表示部１１０に表示される。ユーザは、表示部１１０に表示される映像（スルー）によって撮影画角を確認できる。
【００２２】
ここで、レリーズスイッチ１９が半押しされると、ＡＥ及びＡＦ処理が開始される。ＡＥ／ＡＦ処理が行われ、レリーズスイッチ１９が全押しされることによって記録用の撮影動作がスタートする。レリーズスイッチ１９全押しに応動して取得された画像データは画像処理回路１０８において輝度／色差信号（Ｙ／Ｃ信号）に変換され、ガンマ補正等の所定の処理が施された後、ＶＲＡＭ１３２に格納される。
【００２３】
ＶＲＡＭ１３２に格納されたＹ／Ｃ信号は、圧縮伸長処理回路１４４によって所定のフォーマットに従って圧縮された後、コネクタ装置２０を介して記録媒体４０にExif（Exchangeable Image File Format）ファイルとして記録される。画像はExifファイルのデータ部分に記録される。ＣＰＵ１１２は上記Exifファイルのヘッダ部分の所定のタグ（Imagedescriptionタグなど）に撮影日時情報などを記録する。
【００２４】
ＣＰＵ１１２には、キセノン管からなるストロボ１８の発光を制御するストロボ制御回路１１５も接続されており、静止画撮影において、低照度であることが検出された場合や、ストロボボタンによって発光が指示された場合や、強制発光モードが設定された場合にタイミングジェネレータ１２０によって発生されたタイミング信号に同期したタイミングで短時間（例えば１秒以下の短時間）発光するようにストロボ１８を制御する。
【００２５】
モードダイヤル１５０によって動画撮影モードが設定されたときには、レリーズスイッチ１９の全押し操作に連動して動画記録動作がスタートし、もう一度レリーズスイッチ１９を押下すると動画記録動作が停止する。レリーズスイッチ１９を押下継続している期間、録画動作を行い、押下解除によって録画を停止するようにしてもよい。動画データは、例えばモーションＪＰＥＧ（ＭＰＥＧ）形式によって記録媒体４０に記録される。
【００２６】
モードダイヤル１５０により再生モードが選択されると、記録媒体４０に記録されている最終の画像ファイル（最終のコマ番号が付与された画像ファイル）の圧縮データが読み出される。最後の記録に係るファイルが静止画ファイルの場合、この読み出された画像圧縮データは、圧縮伸長処理回路１４４を介して非圧縮のＹＣ信号に伸長され、ＶＲＡＭ１３２に保存される。ＶＲＡＭ１３２に保存されたＹＣ信号は、ビデオエンコーダ１３４に加えられる。ビデオエンコーダ１３４は、入力するＹＣ信号からＮＴＳＣ方式のＲＧＢカラー複合映像信号を作成し、これを表示部１１０に出力する。これにより、表示部１１０には記録媒体４０に記録されている最終の画像が表示される。
【００２７】
その後、十字キー８１の右キーが押されると、コマ番号順にコマ送りされ、十字キー８１の左キーが押されると、逆方向にコマ送りされる。そして、コマ送りされたコマ位置の画像ファイルが記録媒体４０から読み出され、上記と同様にしてコマ画像が表示部１１０に再生される。尚、最終コマのコマ画像が表示されている状態で順方向にコマ送りされると、記録媒体４０に記録されている最初のコマ番号の付与された画像ファイルが読み出され、１コマ目のコマ画像が表示部１１０に再生される。
【００２８】
表示部１１０は、デジタルカメラ１０に内蔵されたＬＣＤ１１４、ファインダー又は映像出力端子等に接続された外部の表示装置に相当する。なお、ＣＰＵ１１２は、ＯＳＤ信号発生回路を含み、ＯＳＤ信号発生回路はシャッター速度や絞り値、撮影可能枚数、撮影日時、警告指示等の文字及びアイコン等の記号を表示するための信号を発生させる。このＯＳＤ信号発生回路から出力される信号は、必要に応じて画像信号に混合されて、ＬＣＤ１１４に供給される。これにより、スルー画像や再生画像に文字やアイコン等が合成された合成画像が表示される。
【００２９】
記録媒体４０は、撮影で得た画像データを保持する手段であり、例えばスマートメディアと呼ばれるメモリカードが使用される。記録メディアの形態はこれに限定されず、ＰＣカード、コンパクトフラッシュ（登録商標）、磁気ディスク、光ディスク、光磁気ディスク、メモリスティック、RFID（Radio Frequency-Identification）カードなどでもよく、電子的、磁気的、もしくは光学的、又はこれらの組み合わせによる方式などに従って読み書き可能かつ着脱可能な媒体を用いることができる。異種・同種の記録メディアを問わず、複数の媒体を装着可能な構成にしてもよい。
【００３０】
ＣＰＵ１１２は、デジタルカメラ１０の各回路を統括制御する制御回路であり、レリーズスイッチ１９、十字キー８１、電源スイッチ８２、モードダイヤル１５０、情報位置指定キー８３あるいは図示しないストロボボタン、ズームキー、メニュー／実行ボタンその他を含む操作部１１３から受信する信号に基づき、対応する回路の動作を制御するとともに、表示部１１０における表示制御、ストロボ発光制御、オートフォーカス（ＡＦ）制御及び自動露出（ＡＥ）制御等を行う。
【００３１】
デジタルカメラ１０の電源が電源スイッチ８２でオンされる度に、カメラボディ内部に装着される電池からなる主要電源１６４から、デジタルカメラ１０の各回路に電源が供給される。
【００３２】
画像処理回路１０８からの画像データは、測光処理部１５７にも送られる。この測光処理部１５７は、外光の光量を測定する手段の一例である。測光処理部１５７は、入力される各画像データと、固体撮像素子１０２ａの電荷蓄積時間、すなわち電子シャッタのシャッタ秒時とに基づいて被写体輝度の測光値（ＥＶ値）を算出する測光値算出部により構成できる。これにより、固体撮像素子１０２ａの駆動が調節される。なお、電子シャッタのシャッタ秒時とともに絞り値を変化させてもよい。絞り値を変化させる場合には、絞り値を加味して被写体輝度に応じた測光値を算出する。このように、測光処理部１５７は、固体撮像素子１０２ａを受光センサとしてＴＴＬ（Through The Lens) 測光方式によって被写体の明るさ（被写体輝度）を検出する。測光処理部１５７は、フォトトランジスタで構成された測光センサであってもよく、測光が可能な手段であれば特に限定されない。
【００３３】
図２は、コネクタ装置２０の概略構成図である。コネクタ装置２０の外装をなすコの字型の収納本体部２１は樹脂等の絶縁体からなる。本体部２１の内部表面には、導電部である複数の長方形パターンの接続端子２２が配置されている。接続端子２２は、記録媒体４０の一態様であるメモリカード（以下、本実施形態ではメモリカード４０で表す）の挿入方向（矢印Ｄ１方向）に沿って配置される。接続端子２２は、第１端子２２ａと第２端子２２ｂの２種類の端子を有している。第１端子２２ａは抵抗Ｒを介して所定の電源Ｖと接続され、第２端子２２ｂはコネクタ装置２０のグランド（ＧＮＤ）に接続されている。ＣＰＵ１１２は、図示しない所定の電位検知手段を介して第１端子２２ａの電位を検知する。
【００３４】
コネクタ装置２０は、デジタルカメラ１０の他、携帯電話機、パソコン、店頭情報端末などの各種電子機器に設けることも可能である。
【００３５】
コネクタ装置２０の内装面には、メモリカード４０へ向けて付勢された板バネ等の弾性部材で構成された凸状の第１係止爪２３ａ及び第２係止爪２３ｂが設けられている。第１係止爪２３ａ、第２係止爪２３ｂは、それぞれメモリカード４０に設けられた切欠との爪係止によってメモリカード４０を保持する。以下、第１係止爪２３ａで保持されたメモリカード４０の位置を第１挿入位置といい、第２係止爪２３ｂで保持されたメモリカード４０の位置を第２挿入位置という。第１挿入位置は第２挿入位置よりも挿入方向Ｄ１に関して浅い位置にある。
【００３６】
第１端子２２ａは、メモリカード４０に形成された端子と接触し、各種データの授受を行うことができる。また、第２端子２２ｂは、メモリカード４０が後述する第２位置まで挿入されていることを検出する端子である。
【００３７】
ポップアップ部材２４は、収納本体部２１内においてメモリカード４０の抜き差し方向に移動自在に配設されるとともに、図示しないバネ部材によってカード排出方向Ｄ２に付勢されている。ポップアップ部材２４は、メモリカード４０が奥行き端に移動するごとに、バネ部材の付勢力に抗してその移動がロックされる状態と、ロックが解除される状態とを繰り返すように構成されている。
【００３８】
次に、コネクタ装置２０にメモリカード４０を挿入した状態を説明する。
【００３９】
図３はメモリカード４０をコネクタ装置２０の第１挿入位置に挿入した状態を示し、図４は、第１挿入位置からメモリカード４０をさらに押し込んで第２挿入位置に挿入した状態を示している。
【００４０】
図３に示すように、メモリカード４０をコネクタ装置２０に挿入すると、まず、第１係止爪２３ａとメモリカード４０に形成された切欠４２との爪係止によってメモリカード４０が第１挿入位置Ｐ１に保持される。第１挿入位置Ｐ１にメモリカード４０が保持された状態では、メモリカード４０に設けられた書込検出用端子４４とコネクタ装置２０の第２端子２２ｂとは接触しないが、メモリカード４０に設けられたデータ用端子４３とコネクタ装置２０の第１端子２２ａとは接触する。
【００４１】
メモリカード４０に挿入方向Ｄ１に向かってさらに押圧を加えると、図４に示すように、係止爪２３ａと切欠４２との係止が解除されてＤ１方向に移動し、第２係止爪２３ｂと切欠４２との爪係止によってメモリカード４０が第２挿入位置Ｐ２に保持される。第２挿入位置Ｐ２にメモリカード４０が保持された状態では、メモリカード４０の書込検出用端子４４とコネクタ装置２０の第２端子２２ｂとが接触し、かつメモリカード４０のデータ用端子４３とコネクタ装置２０の第１端子２２ａとが接触する。
【００４２】
ＣＰＵ１１２は、書込検出用端子４４と第２端子２２ｂとの接触を検知し、接触が検知された場合にメモリカード４０へのデータの書込禁止を設定するか解除する。以下、図５のフローチャートに基づき、データの書込禁止及び解除の動作の一例を説明する。
【００４３】
まず、ＣＰＵ１１２は、メモリカード４０が第２位置Ｐ２に挿入されたことを検知する（Ｓ１１）。具体的には、データ用端子４３と第１端子２２ａとが接触し、かつ書込検出用端子４４と第２端子２２ｂとが接触すると、第１端子２２ａと第２端子２２ｂとが導通し、第１端子２２ａの電位は、グランドと同じローレベル（Ｌレベル）となる。一方、データ用端子４３と第１端子２２ａとが接触するが、書込検出用端子４４と第２端子２２ｂとが接触しない場合は、第１端子２２ａと第２端子２２ｂとが導通されることはない。この場合には、第１端子２２ａの電位は、ハイレベル（Ｈレベル）となる。
【００４４】
ＣＰＵ１１２は、第１端子２２ａの電位がＬレベルであることを検知すると、メモリカード４０へのデータの書込禁止を解除する（Ｓ１２）。この状態では、撮影動作で得られた画像データをメモリカード４０に自由に記録でき、またメモリカード４０に記録された画像データを自由に削除できる。
【００４５】
以上説明した通り、本実施形態のコネクタ装置２０は、メモリカード４０を第１の挿入位置又は第２の挿入位置で保持し、メモリカード４０が第２の挿入位置に挿入されていると、書込検出用端子４４と第２端子２２ｂとが接触するように構成されている。また、本実施形態のデジタルカメラ１０は、書込検出用端子４４と第２端子２２ｂとの接触によってメモリカード４０が第２の挿入位置に挿入されていることを検知すると、メモリカード４０へのデータの書込禁止を解除する。即ち、メモリカード４０を第２の挿入位置に挿入することによってデータの書込禁止の解除を行うことができ、ユーザに分かりやすい。
【００４６】
＜第２実施形態＞
第１実施形態とは逆に、メモリカード４０が第２位置Ｐ２に挿入されたことが検知された場合、データの書込禁止を設定するようにしてもよい。即ち、図６のフローチャートを参照すると、ＣＰＵ１１２は、メモリカード４０が第２位置Ｐ２に挿入されたことを検知すると（Ｓ２１）、メモリカード４０へのデータの書込禁止を設定する。（Ｓ２２）。なお、デフォルトではデータの書込禁止が解除されているものとする。メモリカード４０を第２の挿入位置に挿入することによってデータの書込禁止の設定を行うことができ、ユーザに分かりやすい。
【００４７】
＜第３実施形態＞
本発明に係るコネクタ装置はピン接触式コネクタにも適用可能である。図７は本発明の好ましい第３の実施形態に係るコネクタ装置２０の正面図である。このコネクタ装置２０は、絶縁されたコの字形のフレーム５１及びフレーム５１に固着されたピン５２を有している。
【００４８】
ピン５２は、フレーム５１の内側に突出しており、メモリカード４０の装着側端部に設けられたソケットコンタクトと接続する。ピン５２は、長さの異なる長ピン５２ａと短ピン５２ｂからなる。長ピン５２ａの一部は抵抗Ｒを介して所定の電源Ｖと接続され、短ピン５２ｂはグランド（ＧＮＤ）に接続されている。ＣＰＵ１１２は、長ピン５２ａの電位を検出する。
【００４９】
一方、図８に示すように、コネクタ装置２０に挿入されるメモリカード４０には、長ピン５２ａに接触する２つの接点５３−１ａ及び５３−２ａ、短ピン５２ｂに接触する接点５３ｂが設けられている。
【００５０】
図９に示すように、メモリカード４０をコネクタ装置２０に挿入すると、まず、第１係止爪２３ａとメモリカード４０の切欠４２との爪係止によってメモリカード４０が第１挿入位置Ｐ１に保持される。第１挿入位置Ｐ１にメモリカード４０が保持された状態では、接点５３−１ａと長ピン５２ａとが接触するが、接点５３ｂと短ピン５２ｂとは接触しない。
【００５１】
図１０に示すように、メモリカード４０を第２挿入位置Ｐ２に挿入すると、接点５３−２ａと長ピン５２ａとが接触し、かつ接点５３ｂと短ピン５２ｂとが接触する。
【００５２】
接点５３−２ａと長ピン５２ａとが接触し、かつ接点５３ｂと短ピン５２ｂとが接触すると、長ピン５２ａと短ピン５２ｂとが導通し、長ピン５２ａの電位は、グランドと同じローレベル（Ｌレベル）となる。一方、接点５３−１ａと長ピン５２ａとが接触するが、接点５３ｂと短ピン５２ｂとが接触とが接触しない場合は、長ピン５２ａと短ピン５２ｂとが導通されることはない。この場合には、長ピン５２ａの電位は、ハイレベル（Ｈレベル）となる。
【００５３】
ＣＰＵ１１２は、長ピン５２ａの電位がＬレベルであることを検知することによりメモリカード４０が第２挿入位置Ｐ２に挿入されていることを検知する。メモリカード４０が第２挿入位置Ｐ２に挿入されていることを検知すると、ＣＰＵ１１２は、メモリカード４０へのデータの書込禁止を解除する。
【００５４】
即ち、メモリカード４０を第２挿入位置Ｐ２に挿入することによってデータの書込禁止の解除を行うことができる。
【００５５】
あるいは、第２実施形態と同様、メモリカード４０が第２挿入位置Ｐ２に挿入されていることを検知した場合、データの書込禁止を設定するようにしてもよい。
【００５６】
＜第４実施形態＞
第１挿入位置、第２挿入位置のそれぞれに記録媒体４０を保持する手段は、第１係止爪２１及び第２係止爪２２と切欠４２に限られず、クリック機構などの所定位置で停止する保持部材であってもよい。
【００５７】
また、メモリカード４０が第２挿入位置Ｐ２に挿入されていることを検知する手段は、第１端子２２ａの電位検知に限らず、各種の位置検出手段であってもよい。
【００５８】
＜第５実施形態＞
デジタルカメラ１０の静止画撮影モード、再生モードは、モードダイヤル１５０で設定されるが、その代わり、データの書込禁止が設定された場合は再生モードを設定し、データの書込禁止設定が解除された場合は静止画撮影モードを設定するなど、記録媒体４０の書込禁止設定に対応したデジタルカメラ１０の動作モードを設定してもよい。かかる動作モードの設定は電源スイッチ８２がオンされたときに行ってもよい。
【図面の簡単な説明】
【００５９】
【図１】本発明の好ましい実施形態に係るデジタルカメラのブロック構成図
【図２】第１実施形態に係るコネクタ装置の正面図
【図３】コネクタ装置の第１挿入位置にメモリカードが挿入された状態を示す図
【図４】コネクタ装置の第２挿入位置にメモリカードが挿入された状態を示す図
【図５】プロテクト設定解除処理の流れを示すフローチャート
【図６】プロテクト設定処理の流れを示すフローチャート
【図７】第３実施形態に係るコネクタ装置の正面図
【図８】ピン接触型のメモリカードを示す図
【図９】コネクタ装置の第１挿入位置にピン接触型のメモリカードが挿入された状態を示す図
【図１０】コネクタ装置の第２挿入位置にピン接触型のメモリカードが挿入された状態を示す図
【符号の説明】
【００６０】
２０：コネクタ装置、４０：記録媒体、１１０：表示部、１１２：ＣＰＵ
【図１】
2006236112.tif 000003
【図２】
2006236112.tif 000004
【図３】
2006236112.tif 000005
【図４】
2006236112.tif 000006
【図５】
2006236112.tif 000007
【図６】
2006236112.tif 000008
【図７】
2006236112.tif 000009
【図８】
2006236112.tif 000010
【図９】
2006236112.tif 000011
【図１０】
2006236112.tif 000012